(57)【要約】【課題】一つの撹拌翼で、異なる２つの撹拌作用が得られる撹拌翼を提供する。【解決手段】撹拌軸５に係止されるボス部３と、該ボス部３に固定された翼２とよりなり、前記ボス部３は、前記撹拌軸５に一方向側３ａから又は他方向側３ｂから挿通係止可能に形成され、前記翼２は、前記ボス部３が前記撹拌軸５に一方向側３ａから挿通係止されたときに、一側縁２ａが前記撹拌軸から離れるに従って徐々に回転方向側に湾曲する前進翼形状に形成されると共に、前記ボス部３が前記撹拌軸５に他方向側３ｂから挿通係止されたときに、他側縁２ｂが前記撹拌軸５から離れるに従って徐々に回転方向の逆側に湾曲する後進翼形状に形成されている。【選択図】図１
2014233676.tif 000002
【特許請求の範囲】
【請求項１】
撹拌軸に係止されるボス部と、該ボス部に固定された翼とよりなり、前記ボス部は、前記撹拌軸に一方向側から又は他方向側から挿通係止可能に形成され、前記翼は、前記ボス部が前記撹拌軸に一方向側から挿通係止されたときに、一側縁が前記撹拌軸から離れるに従って徐々に回転方向側に湾曲する前進翼形状に形成されると共に、前記ボス部が前記撹拌軸に他方向側から挿通係止されたときに、他側縁が前記撹拌軸から離れるに従って徐々に回転方向の逆側にする後進翼形状に形成されていることを特徴とする撹拌翼。
【請求項２】
前記翼の一側縁及び他側縁のいずれか一方の縁が鋸刃状に形成されていることを特徴とする請求項１に記載の撹拌翼。
【請求項３】
撹拌軸に係止されるボス部と、該ボス部に固定された翼とよりなり、前記ボス部は、前記撹拌軸に一方向側から又は他方向側から挿通係止可能に形成され、前記翼は、該翼の一側縁及び他側縁のいずれか一方の縁が鋸刃状に形成されていることを特徴とする撹拌翼。
【発明の詳細な説明】
【技術分野】
【０００１】
本発明は、食品工業や化学工業等において、主に汎用撹拌機に用いる撹拌翼に関する。
【背景技術】
【０００２】
従来は、汎用撹拌機に付属するプロペラ翼などの撹拌翼は、撹拌の用途が限定されていた。
【０００３】
例えば、プロペラ翼を用いた撹拌装置としては、例えば、撹拌翼を有する撹拌軸を略円筒状の撹拌槽内に垂設して撹拌を行う式の撹拌装置において、前記撹拌軸の中間部に液を前記撹拌槽の中心部の下方へ流動させるプロペラ翼を嵌着すると共に前記撹拌軸の下端部に前記液を前記撹拌槽の中心部から周辺部へ流動させるパドル翼を嵌着した撹拌装置が知られている（特許文献１）。
【先行技術文献】
【特許文献】
【０００４】
【特許文献１】特開２００１−３２１６４７号公報
【発明の概要】
【発明が解決しようとする課題】
【０００５】
この従来の撹拌装置によれば、撹拌槽内のフローパターンが撹拌槽の中心部の下降流と該撹拌槽の内壁面に沿った上昇流とによる１つの循環流となり、目的によって異なる撹拌作用、例えば液流動化作用とせん断作用を、各々別々の用途で必要とする際には、これらの作用を有する複数の撹拌翼を用意する必要があり、コストが高くなってしまうという問題があった。
【０００６】
本発明はこのような問題点を解消し、異なる２つの撹拌作用を一つの撹拌翼で提供することを目的とする。
【課題を解決するための手段】
【０００７】
本発明はこの目的を達成すべく、撹拌軸に係止されるボス部と、該ボス部に固定された翼とよりなり、前記ボス部は、前記撹拌軸に一方向側から又は他方向側から挿通係止可能に形成され、前記翼は、前記ボス部が前記撹拌軸に一方向側から挿通係止されたときに、一側縁が前記撹拌軸から離れるに従って徐々に回転方向側に湾曲する前進翼形状に形成されると共に、前記ボス部が前記撹拌軸に他方向側から挿通係止されたときに、他側縁が前記撹拌軸から離れるに従って徐々に回転方向の逆側に湾曲する後進翼形状に形成されている。
【発明の効果】
【０００８】
本発明によれば、一つの撹拌翼を前進翼として取り付ける、或いは後進翼となるように取り付ける事により、異なる２つの作用が容易に得られる撹拌翼を提供できる効果を有する。
【０００９】
これにより、低コストで、撹拌翼を用意することができるようになる。
【図面の簡単な説明】
【００１０】
【図１】本発明の実施例１の前進翼として取り付けた撹拌翼の平面図である。
【図２】該撹拌翼の側面図である。
【図３】本発明の実施例１の後進翼として取り付けた撹拌翼の平面図である。
【図４】該の撹拌翼の側面図である。
【図５】本発明の実施例２の撹拌翼の平面図である。
【図６】本発明の実施例３の撹拌軸をボス部の一方向側から取り付けた撹拌翼の平面図である。
【図７】該撹拌翼の側面図である。
【図８】本発明の実施例３の撹拌軸をボス部の他方向側から取り付けた撹拌翼の平面図である。
【図９】該撹拌翼の側面図である。
【発明を実施するための形態】
【００１１】
本発明を実施するための形態の実施例を以下に示す。
【実施例１】
【００１２】
本発明の実施例１を図１乃至図４により説明する。
【００１３】
１は本実施例１の撹拌翼、２は、該撹拌翼１の複数のプロペラ翼などからなる翼を示し、該プロペラ翼２は、前記撹拌翼１のボス部３に、放射状に、例えば３枚固定されている。
【００１４】
また、前記ボス部３は、後述する撹拌軸５に一方向側３ａから又は他方向３ｂ側から挿通可能な貫通孔４を有する円筒状に形成されている。
【００１５】
また、前記プロペラ翼２の形状は、図１に示すように、前記ボス部３が前記撹拌軸５に一方向側３ａから挿通係止されたときに、回転方向側を向く縁部分である一側縁２ａが前記撹拌軸５から離れるに従って徐々に回転方向側に湾曲する前進翼形状に形成されると共に、図３に示すように、前記ボス部３が前記撹拌軸５に他方向側３ｂから挿通係止されたときに、回転方向側を向く縁部分である他側縁２ｂが前記撹拌軸５から離れるに従って徐々に回転方向の逆側に湾曲する後進翼形状に形成されている。
【００１６】
また、該各プロペラ翼２はボス部３の軸方向に対して、傾斜して固定されている。
【００１７】
なお、６は、ボルトであり、該ボルト６は、前記ボス部３の周側面に貫通して設けたネジ孔（図示せず）に螺合され、該ボルト６の先端部で、前記ボス部３に挿通された撹拌軸５の周側面を押圧して、前記ボス部３を前記撹拌軸５に係止するようにする。
【００１８】
次に本実施例１の撹拌翼１の作用と効果を説明する。
【００１９】
まず、前記プロペラ翼２を前進翼として取り付けて撹拌をするためには、前記撹拌翼１のボス部３を前記撹拌軸５に一方向側３ａから挿通係止し、該撹拌翼１を、撹拌槽（図示せず）内に垂設し、図２に示すように、該撹拌翼１を矢印Ａの方向に回転駆動して、該撹拌槽内の液体を撹拌する。
【００２０】
この撹拌においては、前記前進翼形状を形成するプロペラ翼２の一側縁２ａで液体の剥離が抑制され、低動力で高い吐出性能（軸流性能）が得られるようになる。
【００２１】
次に、前記プロペラ翼２を後進翼として取り付けて撹拌するためには、前記撹拌翼１のボス部３を前記撹拌軸５に他方向側３ｂから挿通係止し、該撹拌翼１を、撹拌槽（図示せず）内に垂設し、図４に示すように、該撹拌翼１を矢印Ａの方向に回転駆動して、該撹拌槽内の液体を撹拌する。
【００２２】
この撹拌により、前記後進翼形状を形成するプロペラ翼２の他側縁２ｂで液体の剥離が起こり、動力が多少高くなり、吐出流速が早くなると共に、強力な撹拌作用が得られるようになる。
【００２３】
以上により、撹拌翼１の取付方向を変えることにより、異なる２つの撹拌作用を得ることができるようになる。
【実施例２】
【００２４】
本発明の実施例２を図５により説明する。
【００２５】
本実施例２においては、前記プロペラ翼２を前進翼として取り付けた場合において、該プロペラ翼２の回転方向の逆側を向く縁部分である他側縁２ｂに鋸刃状に形成した鋸刃部７を設ける。
【００２６】
この実施例２においては、前記プロペラ翼２を前進翼として取り付けた撹拌においては、前記鋸刃部７には、せん断作用が働かないが、該プロペラ翼２を後進翼として取り付けた撹拌においては、該鋸刃部９にせん断作用を働かせることができ、一つの撹拌翼で異なる撹拌作用を得ることができるようなる。
【実施例３】
【００２７】
本発明の実施例３を図６乃至図９により説明する。
【００２８】
本実施例３においては、実施例１のボス部３に、実施例１のプロペラ翼２を放射状に固定する代わりに、矩形翼８などのパドル翼を放射状に、例えば４枚固定する。
【００２９】
また、各矩形翼８は、前記ボス部３が前記撹拌軸５に一方向側３ａから挿通係止され、前記攪拌翼１を矢印Ａ方向に回転駆動した場合に、例えば、液体を下方に流動させるように、それぞれボス部３の軸方向に対して、傾斜して固定されている。
【００３０】
また、図６及び図７に示すように、各矩形翼８には、前記ボス部３が前記撹拌軸５に一方向側３ａから挿通係止した場合において、該矩形翼８の回転方向の逆側を向く縁部分である他側縁８ｂに鋸刃状に形成した鋸刃部９を設ける。
【００３１】
なお、８ａは、該矩形翼８の回転方向側を向く縁部分である一側縁である。
【００３２】
この実施例３においては、図６及び図７に示すように、前記撹拌翼１の前記ボス部３を前記撹拌軸５に一方向側３ａから挿通係止した場合の撹拌においては、前記鋸刃部９には、せん断作用が働かないが、図８及び図９に示すように、該撹拌翼１の前記ボス部３を前記撹拌軸５に他方向側３ｂから挿通係止した場合の撹拌においては、該矩形翼８の回転方向側を向く縁部分である他側縁８ｂの鋸刃部９にせん断作用を働かせることができ、一つの撹拌翼で異なる撹拌作用を得ることができるようなる。
【００３３】
なお、前記翼は、プロペラ翼やパドル翼以外にタービン翼などであってよもよい。
【産業上の利用可能性】
【００３４】
本発明の撹拌翼は、食品工業や化学工業等における液体の混合に利用される。
【符号の説明】
【００３５】
１      撹拌翼
２      翼
２ａ    一側縁
２ｂ    他側縁
３      ボス部
３ａ    一方向側
３ｂ    他方向側
４      貫通孔
５      撹拌軸
６      ボルト
７      鋸刃部
８      矩形翼
８ａ    一側縁
８ｂ    他側縁
９      鋸刃部
【図１】
2014233676.tif 000003
【図２】
2014233676.tif 000004
【図３】
2014233676.tif 000005
【図４】
2014233676.tif 000006
【図５】
2014233676.tif 000007
【図６】
2014233676.tif 000008
【図７】
2014233676.tif 000009
【図８】
2014233676.tif 000010
【図９】
2014233676.tif 000011